(57)【特許請求の範囲】
【請求項１】
給油装置からの給油量と売り上げ金額をＰＯＳ端末で処理して表示部に表示させるガソリンスタンドの販売方法において、
予め定めた複数種類の定額の金額内での給油を行う定額販売の前記複数の定額販売情報を表示するステップと、
前記複数の定額販売情報のうち一つの定額販売情報を選択するステップと、
選択された一つの定額販売情報のみを表示して、他の定額販売情報を消去するステップと、
前記選択された定額販売情報の定額金額で購入可能な給油以外の商品をオプション商品として表示するステップと、
表示されたオプション商品から購入商品として選択された商品の金額を前記定額金額から差し引いた金額で購入可能なオプション商品を表示するステップと、
前記オプション商品の購入ステップ終了後の残金で給油するステップと、
を備えて成ることを特徴とする定額販売方法。
【請求項２】
前記ＰＯＳ端末は、売り上げレシートと共に顧客が選択した前記オプション商品の引換券を発行することを特徴とする請求項１に記載の定額販売方法。
【請求項３】
前記オプション商品引換券には、バーコードが印刷されることを特徴とする請求項２に記載の定額販売方法。
【発明の詳細な説明】
【０００１】
【発明の属する技術分野】
本発明は定額販売方法に関し、特にガソリンスタンド等の店舗において、顧客が金額を指定して給油等のサービス提供を受ける定額販売方法に関する。
【０００２】
【従来の技術】
ガソリンスタンド等の店舗で、顧客が給油サービスを受けるには、顧客が車両を運転して店舗へ出向き、給油装置を店員が操作して又はセルフサービスにより顧客自身が操作して給油する。この際に、お客および店舗双方にとって小銭の支払およびおつりの支払を避け、迅速な処理を可能にするため、定額給油サービスが用意されている。
【０００３】
即ち、顧客は、予め例えば２０００円という一定金額を指定し、この金額に相当する給油サービスを受ける。これにより、顧客と店舗との間では、定額（この場合には、２０００円）の支払のみであり、全く小銭の授受を必要としないので、迅速な処理が可能になり、顧客および店舗の双方にとってメリットが大きい。
【０００４】
斯かる技術分野における従来技術は、例えば特開２０００-２１１６９７号公報の「表示装置」、特開平５-３５９７２号公報の「売上データ処理装置」、特開平８-１１９３９６号公報の「ＰＯＳシステム」、特開平８-１９４８６４号公報の「給油所」、特開平１０-１６７３９５号公報の「給油装置」および特開平１０-３２４３９８号公報の「物品販売装置」等に開示されている。
【０００５】
【発明が解決しようとする課題】
しかし、ガソリンスタンド等の店舗には、単にガソリンのみならず、ソフトドリンク、スナック菓子、たばこおよびガム等の、多くのドライバが必要とする比較的安価なオプション商品（ＴＢＡ商品）も用意されている。顧客がこれらの商品を購入する場合には、小銭を用意して支払う必要がある。従来技術には、斯かる課題を解決する手段を開示するものはない。これにより、定額給油サービスのメリットを無駄にすることとなり、顧客および店舗双方にとって不便であるという課題があった。
【０００６】
【発明の目的】
本発明は、従来技術の上述した課題に鑑みなされたものであり、オプション商品代金を含めて定額とすることを可能にする定額販売方法を提供することを目的とする。
【０００７】
【課題を解決するための手段】
前述の課題を解決するため、本発明による定額販売方法は次のような特徴的な構成を採用している。
【０００８】
（１）給油装置からの給油量と売り上げ金額をＰＯＳ端末で処理して表示部に表示させるガソリンスタンドの販売方法において、
予め定めた複数種類の定額の金額内での給油を行う定額販売の前記複数の定額販売情報を表示するステップと、
前記複数の定額販売情報のうち一つの定額販売情報を選択するステップと、
選択された一つの定額販売情報のみを表示して、他の定額販売情報を消去するステップと、
前記選択された定額販売情報の定額金額で購入可能な給油以外の商品をオプション商品として表示するステップと、
表示されたオプション商品から購入商品として選択された商品の金額を前記定額金額から差し引いた金額で購入可能なオプション商品を表示するステップと、
前記オプション商品の購入ステップ終了後の残金で給油するステップと、
を備えて成る定額販売方法。
【０００９】
（２）前記ＰＯＳ端末は、売り上げレシートと共に顧客が選択した前記オプション商品の引換券を発行する上記（１）の定額販売方法。
【００１０】
（３）前記オプション商品引換券には、バーコードが印刷される上記（２）の定額販売方法
【００１５】
【発明の実施の形態】
以下、本発明による定額販売方法の好適実施形態の構成および動作を、添付図面を参照して詳細に説明する。
【００１６】
先ず、図１は、本発明による定額販売方法の好適実施形態のシステム構成図である。この定額販売方法１０は、ＰＯＳ (Point of Sales)端末２０およびこのＰＯＳ端末２０とケーブル４０により接続された外接機３０により構成される。ＰＯＳ端末２０は、金額等を入力する入力手段であるキーボード２１、入力データ等を表示する、例えば液晶表示パネルである表示装置２２およびバーコードリーダ２３を含んでいる。外接機３０は、例えば周知のガソリン給油装置である。
【００１７】
次に、図２を参照して、図１に示す本発明による定額販売方法の動作である「売上処理」の一連の動作を説明する。図２には、左側にＰＯＳ端末２０の表示装置２２上の処理画面を示し、中央に顧客の操作をフローチャートで示し、右側に店員の操作を示す。説明の便宜上、顧客は、２０００円の定額でレギュラーガソリンの給油とジュースおよびたばこのオプション商品の買い物をする例について説明する。
【００１８】
先ず、店員（ＳＳマン）は、顧客の希望を確認する。即ち、顧客が定額給油を希望するか否かの「定額給油選択」を行う（ステップＳ１）。この定額給油を選択すると、店員は、ＰＯＳ端末２０のキーボード２１を操作し又は図２（Ａ）の処理画面に表示される「定額給油」を指等によりタッチして定額給油を指定する。
【００１９】
次に、金額を指定する（ステップＳ２）。上述したステップＳ１の定額給油の選択により、図２（Ｂ）に示す如き処理画面が表示される。即ち、例えば１０００円、２０００円および３０００円の如く複数の選択可能な「金額」が表示されると共に、「オプション」および「確定」ボタンが表示される。ここでは、２０００円のボタンを選択する。尚、選択された金額である２０００円を太枠で表示するか、又は選択された金額のみを表示（選択されなかった金額を消去）することにより、選択された金額を明示するのが好ましい。ここで、「オプション」ボタンは、「金額」ボタンを選択操作するまで反応しない。
【００２０】
次に、顧客が「オプション」を希望する場合には、図２（Ｃ）に示す処理画面上で、「オプション」ボタンにタッチすることにより「オプション」の選択を行う（ステップＳ３）。この「オプション」の選択により、図２（Ｄ）に示す如く、処理画面上には指定金額内で購入可能な「商品表示」が行われる（ステップＳ４）。この特定例では、ジュース１２０、ジュース１４０、たばこ２５０、たばこ２６０、たばこ２８０、ガム１００、菓子１００および菓子２００の様に、商品名および金額が表示される。
【００２１】
次に、顧客は表示画面に表示された商品の中から１以上の「商品選択」を行う（ステップＳ５）。この特定例では、たばこ（２６０円）を指定する。次に、合計金額が先に選択した定額（この場合には２０００円）以内か否か判断する（ステップＳ６）。定額内であれば、上述したステップＳ５へ戻り、更に別の商品を選択することも可能である。
【００２２】
希望するオプション商品の選択が終了すると、「確定」ボタンにタッチする（ステップＳ６）。尚、この「確定」ボタンを押すまでは、定額（２０００円）−追加したＴＢＡ商品の額内で購入可能な商品が処理画面に表示される。そこで、ジュース（１２０円）を追加購入する。
【００２３】
次に、定額（２０００円）からオプション商品の金額を差し引いた残額相当分が、図２（Ｅ）の如く表示されると共に、その定額給油処理を行う（ステップＳ７）。給油が終了すると（ステップＳ８）、図２（Ｆ）に示す如く、給油およびオプション商品を一括した「売上レシート」および「オプション商品引換券」が印刷されてＰＯＳ端末２０から発行される（ステップＳ９）。この「オプション商品引換券」には、図示の如く「バーコード」が印字される。
【００２４】
顧客は、オプション商品のバーコードが印字された伝票を持って店内に入る。そして、顧客は、オプション商品のバーコードが印字された伝票と引き換えに商品を店員から受け取り、店員は、受け取った伝票をバーコードリーダ２３で読ませる（ステップＳ１０）。以上で、売り上げ処理が完了する（ステップＳ１１）。
【００２５】
以上、本発明による定額販売方法の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更および応用が可能であること、当業者には容易に理解できよう。上述の実施形態では、ガソリンスタンドの給油の例で説明したが、本発明は給油に限定されることなく、例えば石油ストーブ等の灯油、醤油、米等の量り売り可能な全ての商品と関連オプション商品に適用可能である。
【００２６】
【効果の説明】
以上の説明から明らかなように、本発明の定額販売方法によると、次の如き実用上の顕著な効果を奏する。即ち、第１に、この販売においてやり取りされる現金は、オプション商品も含めて定額（例えば２０００円）だけであるので、顧客が例えば給油とオプション商品（ＴＢＡ商品）の購入に際して複数回の支払を行う２度手間がない。
【００２７】
第２に、この店舗におけるオプション商品の売上で、釣銭のやり取りがなくなるので、店舗側が用意する釣銭を大幅に減らすことができ、作業効率を大幅に改善可能である。
【図面の簡単な説明】
【図１】  本発明による定額販売方法の好適実施形態のシステム構成図である。
【図２】  図１に示す定額販売方法の動作説明図である。
【符号の説明】
１０  定額販売方法
２０  ＰＯＳ端末
２２  表示装置
２３  バーコードリーダ
３０  外接機
【図１】
0004002484.tif 000002
【図２】
0004002484.tif 000003